(57)【要約】      （修正有）【課題】ロールテープのテープを回転軸とゴムローラーとの間に設置することで、テープの自己粘着や滑り出しを防止できるテープディスペンサーを提供する。【解決手段】テープディスペンサーは、本体２１０と、カッター２２０と、可動ローラー２３０とを備える。本体にはテープ装着部２１２及び切断端２１４を有し、カッターは切断端に設けられ、可動ローラーは切断端に設けられ、且つカッターの上端に位置する。可動ローラーの固定側２３６は位置決めピン２１６及び金具２１８によって切断端に移動可能のように固定され、且つ可動ローラーの可動側２３８は、分離可能のように切断端の固定溝２１４ａに設けられる。【選択図】図２
0003194160.tif 000002
【実用新案登録請求の範囲】
【請求項１】
ロールテープを保持するテープディスペンサーであって、
テープ装着部及び切断端を有する本体と、
前記切断端に設けられるカッターと、
前記切断端に設けられ、且つ前記カッターの上端に位置する可動ローラーと、
を備え、
前記可動ローラーの固定側は位置決めピン及び金具によって前記切断端に固定され、前記可動ローラーの可動側は分離可能のように前記切断端の固定溝に設けられることによって、前記可動ローラーが前記切断端を跨るように配置されることを特徴とする、ディスペンサー。
【請求項２】
前記可動ローラーの前記可動側には凹部を有し、前記凹部は、前記可動ローラーの前記可動側が押される時に前記切断端の前記固定溝に対応するように移動し、前記可動ローラーの前記可動側を前記切断端の前記固定溝から分離するようになることを特徴とする、請求項１記載のディスペンサー。
【請求項３】
前記可動ローラーの前記固定側は突起と位置決め穴を有し、且つ前記金具が前記突起に対応して円弧に形成され、前記位置決めピンは前記位置決め穴を穿設し、前記可動ローラーの前記可動側が前記切断端の前記固定溝から分離する時、前記固定側の前記突起は前記金具の前記円弧に沿って軸回転することができることを特徴とする、請求項１記載のディスペンサー。
【請求項４】
前記可動ローラーは、回転軸と、前記回転軸上に設けられる少なくとも一つのローラーとを備えることを特徴とする、請求項１記載のディスペンサー。
【請求項５】
前記少なくとも一つのローラーが複数のローラーである場合、前記回転軸上に設けられる前記複数のローラーは、一体成形されてなることを特徴とする、請求項４記載のディスペンサー。
【請求項６】
前記切断端に設けられ、且つ前記カッターと前記可動ローラーとの間に位置するゴムローラーと、前記テープ装着部に設けられ、前記ロールテープが前記テープ装着部に装着された時に前記ロールテープを覆う蓋部と、を更に含むことを特徴とする、請求項１記載のディスペンサー。
【考案の詳細な説明】
【技術分野】
【０００１】
本考案は、テープディスペンサーに関するものであり、特に、回転軸及びゴムローラーを備え、ロールテープのテープを回転軸とゴムローラーとの間に設置することで、当該テープの自己粘着や滑り出すことを防止するテープディスペンサーに関する。
【背景技術】
【０００２】
日常生活において、テープによる物体の接合、包覆又はシールを行うことはごく一般的な行動であるが、テープ自身の粘着特性によって、少し不注意があれば、テープがふたたび元のテープロール又は他の物体の表面に粘着することになるため、かなり不便である。
【０００３】
よって、前述した状況を回避するため、ロールテープをテープディスペンサーに装着して使用することで、テープがふたたび元のテープロール又は他の物体の表面に粘着する確率を低減する。
【０００４】
しかし、図１に示すように、公知のテープディスペンサー１００にロールテープ３００を装着された後、テープ３１０が２つのローラー１１０とゴムローラー１２０との間に渡設することによってロールテープ３００又は他の物体の表面に粘着することにはならないが、２つのローラー１１０の間にまだ隙間１３０を有することで、使用上にはまだテープ３１０が隙間１３０を通して２つのローラー１１０とゴムローラー１２０との間から滑り出して、又はその本体にテープ３１０が粘着する状況を遭遇する場合がある。
【考案の概要】
【考案が解決しようとする課題】
【０００５】
上記問題に鑑み、テープ３１０が隙間１３０を通して２つのローラー１１０とゴムローラー１２０との間から滑り出すこと、或いはその本体にテープ３１０が粘着する状況を如何に解決するかは、当前の業界の一つの問題となっている。
【０００６】
本考案の一つの目的は、ロールテープのテープが自己粘着や滑り出すことを回避するテープディスペンサーを提供する。
【課題を解決するための手段】
【０００７】
上述した目的を達成するため、本考案のテープディスペンサーは、本体と、カッターと、可動ローラーとを備える。本体にはテープ装着部及び切断端を有し、カッターは切断端に設けられ、可動ローラーは切断端に設けられ、且つカッターの上端に位置する。その内、可動ローラーの固定側は位置決めピン及び金具によって切断端に固定され、且つ可動ローラーの可動側は、分離可能のように切断端の固定溝に設けられることによって、可動ローラーが切断端を跨るように配置される。
【０００８】
上述した目的を達成するため、本考案のテープディスペンサーにおける可動ローラーの可動側には凹部を有し、その凹部は、可動ローラーの可動側が押される時に切断端の固定溝に対応するように移動することによって、可動ローラーの可動側を切断端の固定溝から分離する。
【０００９】
上述した目的を達成するため、本考案のテープディスペンサーにおける可動ローラーの固定側は、突起及び位置決め穴を有し、且つ金具が突起に対応して円弧に形成され、前記位置決めピンは前記位置決め穴を穿設でき、可動ローラーの可動側が切断端の固定溝から分離する時、固定側の突起は金具の円弧に沿って軸回転することができる。
【００１０】
上述した目的を達成するため、本考案のテープディスペンサーにおける可動ローラーは、回転軸と、回転軸上に設けられる少なくとも一つのローラーとを備える。
【００１１】
上述した目的を達成するため、本考案のテープディスペンサーにおける少なくとも一つのローラーが複数のローラーである場合、その複数のローラーは、一体成形されたものである。
【００１２】
上述した目的を達成するため、本考案のテープディスペンサーは、切断端に設けられ、且つカッターと可動ローラーとの間に位置するゴムローラーと、テープ装着部に設けられ、ロールテープがテープ装着部に装着された時にロールテープを覆う蓋部とを更に含む。
【図面の簡単な説明】
【００１３】
【図１】従来のテープディスペンサーの模式図である。
【図２】本考案のテープディスペンサーの模式図である。
【図３】本考案のテープディスペンサーの分解図である。
【図４】本考案のテープディスペンサーにおける可動ローラーの横移動を示す模式図である。
【図５】本考案のテープディスペンサーにおける可動ローラーの横移動を示す断面図である。
【図６】本考案のテープディスペンサーにおける可動ローラーの凹部が切断端の固定溝に対応する時を示す模式図である。
【図７】本考案のテープディスペンサーにおける可動ローラーの凹部が切断端の固定溝に対応する時を示す断面図である。
【図８】本考案のテープディスペンサーにおける可動ローラーの可動側を切断端の固定溝から分離する時を示す模式図である。
【図９】本考案のテープディスペンサーにおける可動ローラーの可動側が切断端の固定溝と噛合された時を示す模式図である。
【図１０】本考案のテープディスペンサーの他の実施例を示す模式図である。
【考案を実施するための形態】
【００１４】
図２に示すように、本考案に係るロールテープ３００を保持するテープディスペンサー２００は、本体２１０と、カッター２２０と、可動ローラー２３０とを備える。
【００１５】
具体的には、図３を共に参照して、本体２１０にはテープ装着部２１２及び切断端２１４を有し、カッター２２０は切断端２１４に設けられ、可動ローラー２３０は切断端２１４に設けられ、且つカッター２２０の上端に位置する。その内、可動ローラー２３０の固定側２３６は位置決めピン２１６及び金具２１８によって切断端２１４に移動可能のように固定され、且つ可動ローラー２３０の固定側２３６に相対する可動側２３８は、分離可能のように切断端２１４の固定溝２１４ａに設けられる。故に、この配置によって可動ローラー２３０が切断端２１４を跨るように配置されるため、この可動ローラー２３０は公知技術に存在する２つのローラー１１０の間の隙間１３０を有しない。
【００１６】
テープディスペンサー２００に備えた可動ローラー２３０の可動側２３８には、凹部２３８ａを有することが好ましい。それにより、図４及び図５に示すように、ユーザが可動ローラー２３０の可動側２３８を左側から右に押す時に、凹部２３８ａは可動ローラー２３０の横移動によって横方向の変位（図面における右矢印方向）を生じて、図６及び図７に示すように、凹部２３８ａが前記横方向の変位より切断端２１４の固定溝２１４ａに対応する位置に移動された後、可動ローラー２３０の可動側２３８が切断端２１４の固定溝２１４ａから分離することができることになり、図８に示すように、可動ローラー２３０が位置決めピン２１６を軸として特定の角度に向けてポップアップすることで、ロールテープ３００のテープ３１０を設置する空間を提供する。この時、可動ローラー２３０は分離位置に位置する。
【００１７】
ここで説明したいことは、図３に示すように、可動ローラー２３０の固定側２３６は突起２３６ａ及び位置決め穴２３６ｂを有し、且つ金具２１８が突起２３６ａに対応して円弧２１８ａに形成され、位置決めピン２１６は位置決め穴２３６ｂを穿設でき、図５に示すように、位置決めピン２１６は位置決め穴２３６ｂ内の右側に押し当てることになる。これにより、可動ローラー２３０の可動側２３８が切断端２１４の固定溝２１４ａから分離する時、図７に示すように、位置決めピン２１６を位置決め穴２３６ｂ内の左側に押し当てることで、固定側２３６の突起２３６ａは金具２１８の円弧２１８ａに沿って軸回転することができるため、可動ローラー２３０が位置決めピン２１６を軸として前記特定の角度に向けてポップアップすると共に、可動ローラー２３０の固定側２３６は、可動ローラー２３０の可動側２３８の上昇によってずれることにならない。
【００１８】
最後に、図９に示すように、ユーザが可動ローラー２３０を本体２１０の固定溝２１４ａ内に掛け戻した後、金具２１８の弾力によって、可動ローラー２３０を再び固定位置に復帰する。これによって、ロールテープ３００のテープ３１０をカッター２２０と可動ローラー２３０によって挟む目的を達成する。
【００１９】
また、再び図３を参照して、本考案のテープディスペンサー２００は、更にゴムローラー２４０及び蓋部２５０を含む。その内、ゴムローラー２４０は切断端２１４に設けられ、且つカッター２２０と可動ローラー２３０との間に位置し、蓋部２５０はテープ装着部２１２に設けられ、ロールテープ３００がテープ装着部２１２に装着された時に、ロールテープ３００をカバーして保護する。
【００２０】
ここで説明したいことは、可動ローラー２３０は、回転軸２３２と、回転軸２３２上に設けられた少なくとも一つのローラー２３４とを備える。この少なくとも一つのローラー２３４が複数のローラー２３４である場合、本考案のテープディスペンサー２００の回転軸２３２上に備えた複数のローラー２３４は、上記実施例のようにそれぞれ独立な態様以外も、図１０に示すように、複数のローラー２３４を一体成形にする態様によって、本考案の複数のローラー２３４の間に隙間が存在しないことを同様に達成し、ロールテープ３００のテープ３１０がローラー２３４とゴムローラー２４０との間から滑り出して、又はその本体にテープ３１０が粘着する状況を回避することができる。
【００２１】
以上に説明した通り、本考案のテープディスペンサー２００は、隙間を有しない可動ローラー２３０を設置することにより、ロールテープ３００のテープ３１０を可動ローラー２３０とゴムローラー２４０との間に挟み込んで、ロールテープ３００のテープ３１０がローラー２３４とゴムローラー２４０との間から滑り出して、又はその本体にテープ３１０が粘着する状況を有効に回避することができる。
【００２２】
以上、本考案の好適な実施例を開示したが、本考案はこれらの実施例により限定されるものではない。当業者であれば、本考案の精神と範囲を逸脱しない限り、多少の変更や潤色を加えることができる。よって、本考案の保護範囲は特許請求の範囲の記載を基準とする。
【符号の説明】
【００２３】
１００    テープディスペンサー
１１０    ローラー
１２０    ゴムローラー
１３０    隙間
２００    テープディスペンサー
２１０    本体
２１２    テープ装着部
２１４    切断端
２１４ａ  固定溝
２１６    位置決めピン
２１８    金具
２１８ａ  円弧
２２０    カッター
２３０    可動ローラー
２３２    回転軸
２３４    ローラー
２３６    固定側
２３６ａ  突起
２３６ｂ  位置決め穴
２３８    可動側
２３８ａ  凹部
２４０    ゴムローラー
２５０    蓋部
３００    ロールテープ
３１０    テープ
【図１】
0003194160.tif 000003
【図２】
0003194160.tif 000004
【図３】
0003194160.tif 000005
【図４】
0003194160.tif 000006
【図５】
0003194160.tif 000007
【図６】
0003194160.tif 000008
【図７】
0003194160.tif 000009
【図８】
0003194160.tif 000010
【図９】
0003194160.tif 000011
【図１０】
0003194160.tif 000012